(57)【特許請求の範囲】
【請求項１】
空調室内の空間を一方側と他方側とに分ける壁に空調機が取り付けられる建物の空調構造であって、
前記空調機は、前記一方側と前記他方側とから空気を吸い込む吸込口と、温調された温調空気を前記一方側へと給気する給気口と、を備え、
前記壁には、前記他方側から前記吸込口へと空気が流通する開口部が設けられており、
前記建物は、
前記空調機が設置される前記空調室が設けられるホールと、
前記ホール以外の１以上の部屋と、
前記ホールに設けられる前記給気口から給気される前記温調空気を取り込む取込口と、
前記１以上の部屋に設けられる前記取込口から送気される前記温調空気を吹き出す吹出口と、
前記取込口と前記吹出口とを連通する送気ダクトと、を備え、
前記ホールおよび前記１以上の部屋の各室を仕切る壁に空気を流通させる流通口が設けられて
前記ホールは、前記空調室に隣接する隣接空間を有しており、
前記空調室と前記隣接空間との境界には、前記空調室内の前記他方側と前記隣接空間とに連通する他方側開口と、前記空調室内の前記一方側と前記隣接空間とに連通する一方側開口と、が設けられており、
前記温調空気は、前記空間内、前記部屋内、および前記隣接空間内を流通しながら前記空間内、前記部屋内、および前記隣接空間内の空気と熱交換されるとともに同質化し、前記吸込口へと吸い込まれることを特徴とする建物の空調構造。
【請求項２】
請求項１に記載の建物の空調構造において、
前記吸込口と前記給気口とがそれぞれ異なる方向に開口していることを特徴とする建物の空調構造。
【請求項３】
請求項１又は２に記載の建物の空調構造において、
前記壁の下端から前記一方側へ水平に延設されたガイド材と、
前記ガイド材の先端側に前記一方側開口が設けられていることを特徴とする建物の空調構造。
【請求項４】
請求項３に記載の建物の空調構造において、
前記取込口は、前記ガイド材の前記先端近傍に対向する前記空調室の天井面に設けられていることを特徴とする建物の空調構造。
【請求項５】
請求項１から４のいずれか一項に記載の建物の空調構造において、
前記ホールは、通常天井と、前記通常天井の天井高さより高く形成された高天井部と、を備えており、
前記高天井部が前記建物の階層間の空間に突出して設けられており、
前記高天井部の天井高さと前記通常天井部の天井高さとの間に前記空調室が設けられていることを特徴とする建物の空調構造。
【請求項６】
請求項１から５のいずれか一項に記載の建物の空調構造において、
前記送気ダクトには、前記温調空気を送気する送気扇が設けられ、
前記送気扇は、送気運転の動作および停止を制御する制御手段が設けられていることを特徴とする建物の空調構造。
【発明の詳細な説明】
【技術分野】
【０００１】
本発明は、建物の空調構造に関する。
【背景技術】
【０００２】
従来、住宅等の建物内における居室等の仕切られた複数の空間をまとめて空調する
セントラル空調装置が知られている（例えば、特許文献１参照）。
このようなセントラル空調装置によれば、各空間の温度設定や、炭酸ガス等の放散
物質濃度の抑制、廊下やホールの温度低下の抑制等を行うことができる。
また、セントラルエアコン以外に複数の部屋を空調する手法として、建物内の各部屋の壁に送風手段を設け、建物内の空気循環を促進することで建物内の温度を均一に近づけるものがある（例えば、特許文献２参照）。
【先行技術文献】
【特許文献】
【０００３】
【特許文献１】特開２００２−１６８４８９号公報
【特許文献２】特開２０１４−１４２１４８号公報
【発明の概要】
【発明が解決しようとする課題】
【０００４】
しかしながら、特許文献１に記載のセントラル空調装置では、空調機器の必要能力が高くなり、大型の空調機器を設置する必要がある。このため、設置場所などの確保や空調機器の運転電力などの制約により、欧米、特に米国のような広大な敷地面積と安価な電力とが確保できる国に比べて、日本では普及しづらい現状がある。
また、大型の空調機器は小型の空調機器に比べて冷暖房効率が劣り、消費電力も増大するという問題がある。
また、特許文献２に記載の空調手法では、空調機器の温調空気が各部屋を介しながら送風手段により送風されるため、空調機器から遠く離れている部屋までの送風において熱量損失が大きく、伝熱効率（熱交換効率）が低くなってしまうという問題がある。このため、例えば、空調機器の運転開始直後、すなわち、建物内部が空調されていない状態から空調を開始するような場合、空調機器が設置される部屋に隣接しない部屋、つまり、空調機器から遠く離れた部屋においては、所定の温度に空調されるまでに時間がかかるという問題がある。
また、例えば、空調機器が設置される部屋に隣接しない空調機器から遠く離れた部屋まで空調しようとする場合、空調機器近傍の部屋がやや過空調（冷え過ぎる、暖め過ぎる）されるという問題がある。
【０００５】
本発明は、上記課題に鑑みてなされたもので、一般家庭用の空調機器で２以上の部屋を空調でき、かつ、各部屋を略同じ条件で空調できる建物の空調構造を提供することを目的とする。
【課題を解決するための手段】
【０００６】
上記課題を解決するため、請求項１に記載の発明は、例えば、図２及び図３に示すように、空調室２内の空間を一方側と他方側とに分ける壁４に空調機６が取り付けられる建物の空調構造１であって、前記空調機６は、前記一方側と前記他方側とから空気を吸い込む吸込口６２と、温調された温調空気を前記一方側へと給気する給気口６１と、を備え、前記温調空気は、前記空間内を流通しながら前記空間内の空気と熱交換されるとともに同質化し、前記吸込口６２へと吸い込まれることを特徴とする。
【０００７】
請求項１に記載の発明によれば、空調室２内の空間を一方側と他方側とに分ける壁４に空調機６が取り付けられる建物の空調構造１であって、空調機６は、一方側と他方側とから空気を吸い込む吸込口６２と、温調された温調空気を一方側へと給気する給気口６１と、を備え、温調空気は、空間内を流通しながら空間内の空気と熱交換されるとともに同質化し、吸込口６２へと吸い込まれるので、空間の空気と温調空気とが空調機６周辺で接触し、温度勾配が下がる（温度差が小さくなる）ということがない。
すなわち、例えば、冷房の場合、冷却された温調空気が温かい空間の空気に接触して、温度が上昇してしまった温調空気が空間へと循環し、一方、空調機６近傍で温調空気と接触した空間の空気は温度が低下するが、すぐさま空調機６の吸込口６２へと吸い込まれてしまうということがない。
このため、吸込口６２から吸い込まれる空間の空気と、給気口６１から給気される温調空気との温度差を大きくすることができ、冷暖房効率を高めることができる。
よって、空調する空間に対し、通常、必要とされる空調機６の能力よりも小さい一般家庭用の空調機６でも同様の空調効果を発揮することができ、空調機６の小型化および省電力化を実現することができる。
【０００８】
そして、前記壁４には、前記他方側から前記吸込口６２へと空気が流通する開口部４１が設けられていることを特徴とする。
また、前記建物は、前記空調機６が設置される前記空調室２が設けられるホールＨと、前記ホールＨ以外の１以上の部屋Ａ，Ｂ，Ｃ，Ｄと、前記ホールＨに設けられる前記給気口６１から給気される前記温調空気を取り込む取込口７１と、前記１以上の部屋Ａ，Ｂ，Ｃ，Ｄに設けられる前記取込口７１から送気される前記温調空気を吹き出す吹出口７２と、前記取込口７１と前記吹出口７２とを連通する送気ダクト７３と、を備えることを特徴とする。
さらに、前記空調室２とその隣接空間との境界には、前記空調室２内の前記他方側と前記隣接空間とに連通する他方側開口２１と、前記空調室２内の前記一方側と前記隣接空間とに連通する一方側開口２２と、が設けられていることを特徴とする。
そして、前記ホールＨおよび前記１以上の部屋Ａ，Ｂ，Ｃ，Ｄの各室を仕切る壁８に空気を流通させる流通口８１，８２が設けられていることを特徴とする。
【０００９】
このように、壁４には、他方側から吸込口６２へと空気が流通する開口部４１が設けられているので、空調される空間の空気が開口部４１を通って吸い込まれることとなる。すなわち、温調空気と吸い込まれる空気とが壁４により一方と他方とに隔てられ、開口部４１を通過する他方からの空気が一方側からの空気よりも選択的に吸込口６２より吸い込まれることとなる。このため、吸い込まれる空気と温調空気との接触をより精度よく抑制することができる。
よって、吸込口６２から吸い込まれる空間の空気と、給気口６１から給気される温調空気との温度差をより確実に大きくすることができ、冷暖房効率をより確実に高めることができる。
また、建物は、空調機６が設置される空調室２が設けられるホールＨと、そのホールＨ以外の１以上の部屋Ａ，Ｂ，Ｃ，Ｄと、ホールＨに設けられる給気口６１から給気される温調空気を取り込む取込口７１と、１以上の部屋Ａ，Ｂ，Ｃ，Ｄに設けられる取込口７１から送気される温調空気を吹き出す吹出口７２と、取込口７１と吹出口７２とを連通する送気ダクト７３と、を備えるので、送気ダクト７３を通じて温調空気を各部屋Ａ，Ｂ，Ｃ，Ｄへと独立して供給することができるため、ホールＨに隣接した部屋Ａ，Ｂ，Ｃが空調されるにつれて、さらに遠くの部屋Ｄに空調効果が伝播するような間接的な空調ではなく、直接温調空気を吹出口７２より供給するので、各部屋Ａ，Ｂ，Ｃ，Ｄを同時に空調することができる。すなわち、温調空気を１以上の部屋Ａ，Ｂ，Ｃ，Ｄへと送気ダクト７３を通じて供給することができ、供給途上における熱量損失を抑制して、温調空気の温度変化を防ぐことができる。このため、空調機６が設置されるホールＨを空調する場合と、略同等の冷暖房効率を各部屋Ａ，Ｂ，Ｃ，Ｄにおいても維持することができる。
また、本発明における空調機６は、前述の通り、冷暖房効率が格段に向上したものであるため、ホールＨおよび各部屋Ａ，Ｂ，Ｃを空調するために空調機６を大型かつ大電力消費なものにする必要がなく、一般家庭用の空調機６で建物の任意の階層全体の空調をすることができる。
なお、空調する空間の容積に応じて空調機６の能力を選定することとなるが、必ずしも１台の空調機６で行う必要はなく、複数台の空調機６を併設して必要能力を確保するようにしてもよい。
これは、空調機６は、いわゆるヒートポンプ（逆カルノーサイクルの原理に基づく気体の圧縮等により温度変化を発生させる）のため、大型なものよりも小型なものの方が熱変換効率が高い。すなわち、冷暖房能力と空調機６のサイズおよび消費電力とは一次比例しないこととなるからである。
さらに、空調室２とその隣接空間との境界には、空調室２内の前記他方側と前記隣接空間とに連通する他方側開口２１と、空調室２内の前記一方側と前記隣接空間とに連通する一方側開口２２と、が設けられているので、他方側開口２１は、ホールＨの空間空気を吸込口６２へと流通させる機能を果たしており、一方側開口２２は、温調空気を一定量ホールＨへと漏出することでホールＨの空調を行う機能を果たしている。
これと同時に、一方側開口２２は、一方側開口２２から一定量の温調空気を漏出させることで、壁４の一方側の空間（取込口７１の下方空間）の温度が下がり過ぎたり、上がり過ぎたりしないようになっている。これはホールＨが空調されないうちに、空調機６周辺の温度だけが空調設定温度に達してしまい、空調機６が運転を中断してしまい、ホールＨが十分に空調できなくならないようにするためである。
そして、ホールＨおよび１以上の部屋Ａ，Ｂ，Ｃ，Ｄの各室を仕切る壁８に空気を流通させる流通口８１，８２が設けられているので、建物内のそれぞれの空間を空気が流通することとなり、建物内の空間の温度分布をより均一にすることができる。
【００１０】
請求項２に記載の発明は、例えば、図２に示すように、請求項１に記載の建物の空調構造１において、前記吸込口６２と前記給気口６１とがそれぞれ異なる方向に開口していることを特徴とする。
【００１１】
請求項２に記載の発明によれば、吸込口６２と給気口６１とがそれぞれ異なる方向に開口しているので、温調空気と吸い込まれる空気とをより一層確実に接触から回避させることができる。
【００１２】
請求項３に記載の発明は、例えば、図３に示すように、請求項１又は２に記載の建物の空調構造１において、前記壁４の下端から前記一方側へ水平に延設されたガイド材５と、前記ガイド材５の先端側に前記一方側開口２２が設けられていることを特徴とする。
【００１３】
請求項４に記載の発明は、例えば、図３に示すように、請求項１又は２に記載の建物の空調構造において、前記取込口７１は、前記ガイド材５の前記先端近傍に対向する前記空調室２の天井面に設けられていることを特徴とする。
請求項４に記載の発明によれば、ガイド材５の先端近傍に対向する空調室２の天井面に設けられているので、一方側開口２２は、空調機６からの送気量と、空調機６の一方側（取込口７１の下方）の空間の圧力を調整する機能をも果たす。
【００１４】
請求項５に記載の発明は、例えば、図３に示すように、請求項１から４のいずれか一項に記載の建物の空調構造１において、前記ホールＨは、通常天井３２と、前記通常天井３２の天井高さより高く形成された高天井部３１と、を備えており、前記高天井部３１が前記建物の階層間の空間に突出して設けられており、前記高天井部３１の天井高さと前記通常天井部３２の天井高さとの間に前記空調室２が設けられていることを特徴とする。
【００１６】
請求項６に記載の発明は、請求項４または５に記載の建物の空調構造１において、前記送気ダクト７３には、前記温調空気を送気する送気扇７４が設けられ、前記送気扇７４は、送気運転の動作および停止を制御する制御手段が設けられていることを特徴とする。
【００１７】
請求項６に記載の発明によれば、送気ダクト７３には、温調空気を送気する送気扇７４が設けられ、送気扇７４は、送気運転の動作および停止を制御する制御手段が設けられているので、吹出口７２からの温調空気の吹き出しおよび停止を制御手段により行うことができる。このため、例えば、屋内空間の一部の部屋Ａ，Ｂ，Ｃ，Ｄを空調する必要がないような場合に、その部屋Ａ，Ｂ，Ｃ，Ｄの吹出口７２からの温調空気の吹き出しを停止することで容易に空調範囲から除外することができる。よって、不要な空調空間を排除することで冷暖房効率のさらなる向上および空調機６の運転電力の削減を行うことができる。
また、建物の空調構造１は、建物の任意の階層を空調する「単数フロア型」の空調装置であるため、全館空調装置の「複数フロア型」のように上階層へと温調空気を送気する必要がない。
すなわち、送気ダクト７３の配管を鉛直方向に延設する必要がないため、送気ダクト７３における圧力損失を低減することができ、ブロワの全揚程を縮小することができる。
このため、送気扇７４の必要能力を低減することができ、送気扇７４の小型化や省電力化が可能となっている。
【発明の効果】
【００１８】
本発明によれば、一般家庭用の空調機で２以上の部屋を空調でき、かつ、各部屋を略同じ条件で空調できる建物の空調構造を提供することができる。
【図面の簡単な説明】
【００１９】
【図１】従来の一般家庭用空調機の概念図である。
【図２】本発明の第１，２実施形態に係る空調機を示す概念図である。
【図３】本発明の第１，２実施形態に係る建物の空調構造を示す概念図である。
【図４】本発明の第１実施形態に係る建物の空調構造を導入する建物の間取り図である。
【図５】本発明の第２実施形態に係る建物の空調構造を導入する建物の間取り図である。
【発明を実施するための形態】
【００２０】
以下、図面を参照して本発明の実施の形態について説明する。ただし、以下に述べる第１，２実施形態には、本発明を実施するために技術的に好ましい種々の限定が付されているが、本発明の技術的範囲を以下の実施形態および図示例に限定するものではない。
【００２１】
本発明の第１実施形態に係る建物の空調構造１について説明する。
図１に示すように、従来の一般家庭用の空調機６は、設置するホールＨの空間を仕切る隔壁Ｗの天井３近傍に取り付けられている。
空調機６は、機体下方に水平方向から略下方までの範囲に空気を給気する給気口６１が設けられ、機体上方には鉛直方向上側に向いた空間の空気を吸い込む吸込口６２が設けられている。
つまり、空調機６の一方側へと給気することと、空調機６の一方側にある空間の空気を吸い込むことと、を同時に行わなければならない。このため、給気される温調された温調空気と、空間の吸込口６２から吸い込まれる空気がそれぞれ空調機６の一方側において接触することで熱交換してしまい、それぞれの温度差が小さくなってしまう。
すなわち、例えば、冷房の場合、冷却された温調空気が温かい空間の空気に接触して、温度が上昇してしまった温調空気が空間へと循環し、一方、空調機６近傍で温調空気と接触した空間の空気は温度が低下するが、すぐさま空調機６の吸込口６２へと吸い込まれてしまうことになる。
すなわち、空間に温度の低い温調空気が循環しにくいため、冷暖房効率が低くなってしまう。
【００２２】
これに対し、本発明の第１実施形態では、図２に示すように、空間を一方側と他方側とに分ける壁としての垂れ壁４を設け、この垂れ壁４に空調機６を取り付けている。
なお、壁は、垂れ壁４だけでなく、空間を分けるものであればよく、例えば、袖壁や格子壁などを用いてもよい。
この垂れ壁４には、空調機６の吸込口６２近傍に開口部４１が設けられており、この開口部４１はガラリとなっており、この開口部４１を介して垂れ壁４の他方側から空間の空気が取り込まれて吸込口６２へと吸い込まれる。また、温調空気は、給気口６１から一方側へと給気される。
このため、空調機６近傍において、温調空気と空間の空気とが垂れ壁４により隔絶され、開口部４１から他方側の空間の空気が一方側の空間の空気よりも選択的に吸い込まれることとなっている。
このような給気および吸い込みを行うことで、空間の空気の循環は垂れ壁４の一方側へと温調空気が給気され、給気された温調空気が空間の空気と熱交換されるとともに空間の空気と同質化しながら、隔壁Ｗに跳ね返されて垂れ壁４の他方側へと回り、垂れ壁４の開口部４１を通って吸込口６２へと吸い込まれることとなる。
すなわち、温調空気が吸い込まれる空気と接触する等の阻害を極力受けずに空間を循環するため、空調機６近傍以外の空間の空気と十分に熱交換、つまり、冷却または加温することで冷暖房効率が飛躍的に向上したものとなっている。
【００２３】
図３に示すように、建物内のホールＨの天井３には、通常天井３２の天井高さより高く形成された高天井部３１が建物の階層間の空間に突出して設けられており、この高天井部３１の天井高さと通常天井３２の天井高さとの間に空調機６等を設置する空調室２が設けられている。この空調室２は、断面略矩形状に形成されており、下方が空間に開口している。
空調室２には、高天井部３１に垂れ壁４が設けられており、この垂れ壁４は通常天井３２の天井高さまで鉛直方向に下垂している。また、垂れ壁４には、空気を流通させる開口部４１が設けられており、この開口部４１はガラリとなっている。
【００２４】
通常天井３２の天井高さまで下垂した垂れ壁４の下端から一方側へ水平にガイド材５が延設されている。このガイド材５は、通常天井３２の天井面と同じ高さ位置でかつ、下面が通常天井３２の天井面と同様の壁紙等の仕上げ処理が施されている。
空調室２には、垂れ壁４とガイド材５とが断面略Ｌ字状となっており、垂れ壁４の他方側に空調室２と空間とを連通させる他方側開口２１が設けられ、ガイド材５の先端側にも空調室２と空間を連通させる一方側開口２２が設けられている。
他方側開口２１はホールＨの空間空気を吸込口６２へと流通させる機能を果たしており、一方側開口２２は空調機６からの温調空気の全量を後述する取込口７１から各部屋Ａ、Ｂ，Ｃへと送気するのではなく、温調空気を一定量ホールＨ（空調室２との隣接空間）へと漏出することでホールＨの空調を行う機能を果たしている。これと同時に、一方側開口２２は、一方側開口２２から一定量の温調空気を漏出させることで、垂れ壁４の一方側の空間（取込口７１の下方空間）の温度が下がり過ぎたり、上がり過ぎたりしないようになっている。これはホールＨおよび各部屋Ａ，Ｂ，Ｃが空調されないうちに、空調機６周辺の温度だけが空調設定温度に達してしまい、空調機６が運転を中断してしまい、ホールＨおよび各部屋Ａ，Ｂ，Ｃが十分に空調できなくならないようにするためである。
さらに、一方側開口２２は、空調機６からの送気量と、送気扇７４の送気量とが一致しない場合の空調機６の一方側（取込口７１の下方）の空間の圧力を調整する機能をも果たすようになっている。
【００２５】
空調機６は、一般家庭で用いられている業務用に比べて小型かつ小能力な空調機６であり、垂れ壁４の一方側、かつ、ガイド材５の上方の空間に設置される。具体的には、垂れ壁４の一方側垂直面において、空調機６の吸込口６２が開口部４１の近傍に位置するように取り付けられる。これにより、給気口６１から給気される温調空気は、ガイド材５に誘
導されて垂れ壁４の一方側でかつ、ガイド材５の上方の空間に貯留されることとなる。
空調室２には、ガイド材５の先端近傍に対向する高天井部３１の天井面に空調機６から給気される温調空気が吸い込まれる取込口７１が設けられている。
【００２６】
取込口７１から吸い込まれた温調空気を後述する各部屋Ａ，Ｂ，Ｃへと送気する送気手段７が各部屋Ａ，Ｂ，Ｃへと配管され、各部屋Ａ，Ｂ，Ｃにおいて、温調空気を吹きだす吹出口７２が各部屋Ａ，Ｂ，Ｃに設けられている。この吹出口７２と取込口７１とを連通させる送気ダクト７３が天井裏空間において配管されている。
また、吹出口７２近傍の送気ダクト７３には、温調空気を送気する動力となる送気扇７４が設けられており、この送気扇７４には動作と停止とを制御する制御手段が設けられている。具体的には、制御手段としては、各部屋Ａ，Ｂ，Ｃにｏｎ/ｏｆｆスイッチを設け
ることとされており、部屋Ａ，Ｂ，Ｃの電灯を点けたり消したりするのと同様に、送気扇７４の動作と停止とを切り替えられ、容易に各部屋Ａ，Ｂ，Ｃの空調のｏｎ/ｏｆｆを切
り替えられるようになっている。
このため、各部屋Ａ，Ｂ，Ｃにおいて、温調空気を吹き出したり、止めたりすることができ、空調しない部屋においては温調空気の吹き出しを停止させて、空調する範囲を自在に設定することができるようになっている。
【００２７】
また、ホールＨおよび各部屋Ａ，Ｂ，Ｃ間において、空間を仕切る壁８には、通常天井３２近傍に空気を流通させる流通口８１が設けられ、この流通口８１として例えばドアの上方に欄間などを採用できる。また、床近傍にも空気を流通させる流通口８２が設けられ、この流通口８２として例えばドアの下方にアンダーカットを設けることができる。
なお、送気ダクト７３配管の径は、５０ｍｍから１００ｍｍ程度に設定されている。また、送気ダクト７３配管は、温調空気の温度を維持するために外周に断熱材が設けられている。また、各送気ダクト７３の送気能力は３００ｍ３/ｈ程度に設定されている。
【００２８】
図４に示すように、建物の任意の階層に上述した空調室２が設置されている。この階層の間取りでは、空調室２が設置されるホールＨと、このホールＨに隣接する３つの部屋Ａ，Ｂ，Ｃとが設けられている。各部屋Ａ，Ｂ，Ｃには、吹出口７２が設けられており、これらの吹出口７２から温調空気が吹き出すようになっている。
また、３つの部屋Ａ，Ｂ，Ｃは、それぞれ出入口となるドアの上方および下方にそれぞれホールＨに連通する流通口８１，８２が設けられており、それぞれの部屋Ａ，Ｂ，ＣとホールＨとの間で空気が流通するようになっている。
このため、空調機６が設置される空調室２のない各部屋Ａ，Ｂ，ＣにおいてもホールＨと略同様に空調を行えるようになっている。
【００２９】
本発明の建物の空調構造１は、建物の任意の階層を空調する「単数フロア型」の空調装置であるため、全館空調装置の「複数フロア型」のように上下階層へと温調空気を送気する必要がない。
すなわち、送気ダクト７３の配管を鉛直方向に延設する必要がないため、送気ダクト７３における圧力損失を低減することができ、ブロワの全揚程を縮小することができる。
このため、送気扇７４の必要能力を低減することができ、送気扇７４の小型化や省電力化が可能となっている。
また、送気ダクト７３を水平方向へのみ延設すればよいため、階層間の空間内だけで送気ダクト７３を配管することが可能となっている。
このため、建物の空調構造１の設計が容易であり、例えば、既存建物に導入するような場合にも特定階層の階層間の空間のみの工事で設置することが可能となっている。
さらに、鉛直方向に送気ダクト７３を配管しないため、室内空間に送気ダクト７３を配管する必要がなく、室内空間を有効利用することが可能となっている。
特に傾斜屋根を有する建物の場合、小屋裏空間に建物の空調構造１を設置することができ、空間を有効利用することが可能となっている。
【００３０】
以上のように、第１実施形態によれば、例えば、図２，３に示すように、空間を一方側と他方側とに分ける垂れ壁４に空調機６が取り付けられる建物の空調構造１であって、空調機６は、一方側と他方側とから空気を吸い込む吸込口６２と、温調された温調空気を一方側へと給気する給気口６１と、を備え、温調空気は、空間内を流通しながら空間内の空気と熱交換されるとともに同質化し、吸込口６２へと吸い込まれるものとした。
こうすることで、空間の空気と温調空気とが空調機６周辺で接触し、温度勾配が下がる（温度差が小さくなる）ということがない。
すなわち、例えば、冷房の場合、冷却された温調空気が温かい空間の空気に接触して、温度が上昇してしまった温調空気が空間へと循環し、一方、空調機６近傍で温調空気と接触した空間の空気は温度が低下するが、すぐさま空調機６の吸込口６２へと吸い込まれてしまうということがない。
このため、吸込口６２から吸い込まれる空間の空気と、給気口６１から給気される温調空気との温度差を大きくすることができ、冷暖房効率を高めることができる。
よって、空調する空間に対し、通常、必要とされる空調機６の能力よりも小さい一般家庭用の空調機６でも同様の空調効果を発揮することができ、空調機６の小型化および省電力化を実現することができる。
【００３１】
また、第１実施形態によれば、例えば、図２，３に示すように、垂れ壁４には、他方側から吸込口６２へと空気が流通する開口部４１が設けられているものとした。
こうすることで、空調される空間の空気が開口部４１を通って吸い込まれることとなる。すなわち、温調空気と吸い込まれる空間の空気とが壁４により一方側と他方側とに隔てられ、開口部４１を通過する他方側からの空気が一方側からの空気よりも選択的に吸込口６２より吸い込まれることとなる。このため、吸い込まれる空気と温調空気との接触をより精度よく抑制することができる。
よって、吸込口６２から吸い込まれる空間の空気と、給気口６１から給気される温調空気との温度差をより確実に大きくすることができ、冷暖房効率をより確実に高めることができる。
【００３２】
また、第１実施形態によれば、例えば、図２，３に示すように、吸込口６２と給気口６１とがそれぞれ異なる方向に開口しているものとした。
こうすることで、温調空気と吸い込まれる空気とをより一層確実に接触から回避させることができる。
【００３３】
また、第１実施形態によれば、例えば、図３に示すように、建物は、空調機６が設置されるホールＨと、ホールＨ以外の３つの部屋Ａ，Ｂ，Ｃと、ホールＨに設けられる給気口６１から給気される温調空気を取り込む取込口７１と、３つの部屋Ａ，Ｂ，Ｃに設けられる取込口７１から送気される温調空気を吹き出す吹出口７２と、取込口７１と吹出口７２とを連通する送気ダクト７３と、を備えるものとした。
こうすることで、送気ダクト７３を通じて温調空気を各部屋Ａ，Ｂ，Ｃへと独立して供給することができるため、ホールＨが空調されるにつれて、隣接する部屋Ａ，Ｂ，Ｃに空調効果が伝播するような間接的な空調ではなく、直接温調空気を吹出口７２より供給するので、各部屋Ａ，Ｂ，Ｃを同時に空調することができる。すなわち、温調空気を３つの部屋Ａ，Ｂ，Ｃへと送気ダクト７３を通じて供給することができ、供給途上における熱量損失を抑制して、温調空気の温度変化を防ぐことができる。このため、空調機６が設置されるホールＨを空調する場合と、略同等の冷暖房効率を各部屋Ａ，Ｂ，Ｃにおいても維持することができる。
また、第１実施形態における空調機６は、冷暖房効率が格段に向上したものであるため、ホールＨおよび各部屋Ａ，Ｂ，Ｃを空調するために空調機６を大型かつ大電力消費なものにする必要がなく、一般家庭用の空調機６で建物の任意の階層全体の空調をすることができる。
なお、空調する空間の容積に応じて空調機６の能力を選定することとなるが、必ずしも１台の空調機６で行う必要はなく、複数台の空調機６を併設して必要能力を確保するようにしてもよい。
これは、空調機６は、いわゆるヒートポンプ（逆カルノーサイクルの原理に基づく気体の圧縮等により温度変化を発生させる）のため、大型なものよりも小型なものの方が熱変換効率が高い。すなわち、冷暖房能力と空調機６のサイズおよび消費電力とは一次比例しないこととなるからである。
【００３４】
また、第１実施形態によれば、例えば、図３に示すように、ホールＨおよび３つの部屋Ａ，Ｂ，Ｃの各室を仕切る壁８に空気を流通させる流通口８１，８２が設けられるものとした。
こうすることで、建物内のそれぞれの空間を空気が流通することとなり、建物内の空間の温度分布をより均一にすることができる。
【００３５】
また、第１実施形態によれば、送気ダクト７３には、温調空気を送気する送気扇７４が設けられ、送気扇７４は、送気運転の動作および停止を制御する制御手段が設けられているものとした。
こうすることで、吹出口７２からの温調空気の吹き出しおよび停止を制御手段により行うことができる。また、この制御手段としては、各部屋Ａ，Ｂ，Ｃにｏｎ/ｏｆｆスイッチを設けることとされており、部屋Ａ，Ｂ，Ｃの電灯を点けたり消したりするのと同様に、送気扇７４の動作と停止とを切り替えられ、容易に各部屋Ａ，Ｂ，Ｃの空調のｏｎ/ｏｆｆを切り替えることができる。
このため、例えば、屋内空間の一部の部屋Ａ，Ｂ，Ｃを空調する必要がないような場合に、その部屋Ａ，Ｂ，Ｃの吹出口７２からの温調空気の吹き出しを停止することで容易に空調範囲から除外することができる。よって、不要な空調空間を排除することで冷暖房効率のさらなる向上および空調機の運転電力の削減を行うことができる。
【００３６】
また、第１実施形態によれば、送気扇７４が吹出口７２近傍の送気ダクト７３配管に設けられるものとした。
こうすることで、吹出口７２を送気扇７４の点検口として利用することができ、送気扇７４のメンテナンスの際、点検者が天井裏へと入る必要がなく、部屋Ａ，Ｂ，Ｃから吹出口７２を介して送気扇７４のメンテナンスを容易に行うことができる。
【００３７】
また、第１実施形態によれば、例えば、図３に示すように、一方側開口２２は、一方側開口２２から一定量の温調空気を漏出させるものとした。
こうすることで、垂れ壁４の一方側の空間（取込口７１の下方空間）の温度が下がり過ぎたり、上がり過ぎたりしないようにすることができる。
このため、ホールＨおよび各部屋Ａ，Ｂ，Ｃが空調されないうちに、空調機６周辺の温度だけが空調設定温度に達してしまい、空調機６が運転を中断してしまい、ホールＨおよび各部屋Ａ，Ｂ，Ｃが十分に空調できなくなるというようなおそれをなくすことができる。
【００３８】
また、第１実施形態によれば、例えば、図３に示すように、空調機６を建物の階層間の空間に設け、垂れ壁４の下端に設けられるガイド材５の下面が通常天井３２の天井高さと略同じになるものとした。
こうすることで、空調機６を設けるスペースを居住空間から確保する必要がなくなり、居住空間が狭くなるようなことがなく、居住空間を有効に利用することができる。
また、高天井部３１に設けられる垂れ壁４およびガイド材５が階層間の空間内に収まるので、ホールＨの天井が美感を損ねることがない。特に、ガイド材５の下面が通常天井３２の天井高さと略同じになるため、ホールＨの天井全体が面一となり、建物の空調構造１を導入することによるホールＨの内観への影響を略なくすことができる。
【００３９】
また、第１実施形態によれば、本発明の建物の空調構造１は、建物の任意の階層を空調する「単数フロア型」の空調装置であるため、全館空調装置の「複数フロア型」のように上階層へと温調空気を送気する必要がない。
すなわち、送気ダクト７３の配管を鉛直方向に延設する必要がないため、送気ダクト７３における圧力損失を低減することができ、ブロワの全揚程を縮小することができる。
このため、送気扇７４の必要能力を低減することができ、送気扇７４を小型化や省電力化することができる。
また、送気ダクト７３を水平方向へのみ延設すればよいため、階層間の空間内だけで送気ダクト７３を配管することができる。
このため、建物の空調構造１の設計が容易であり、例えば、既存建物に導入するような場合にも特定階層の階層間の空間のみの工事で設置することができる。
さらに、鉛直方向に送気ダクト７３を配管しないため、室内空間に送気ダクト７３を配管する必要がなく、室内空間を有効利用することができる。
特に傾斜屋根を有する建物の場合、小屋裏空間に建物の空調構造１を設置することができ、空間を有効利用することができる。
【００４０】
次に、本発明の第２実施形態について説明する。
図５に示すように、建物の任意の階層に上述した空調室２が設置されている。
この階層の間取りでは、空調室２が設置されるホールＨと、このホールＨに隣接する３つの部屋Ａ，Ｂ，Ｃと、ホールＨと隣接しない遠隔部屋Ｄと、が設けられている。各部屋Ａ，Ｂ，Ｃおよび遠隔部屋Ｄには、吹出口７２がそれぞれ設けられており、これらの吹出口７２から温調空気が吹き出すようになっている。
また、３つの部屋Ａ，Ｂ，Ｃは、それぞれ出入口となるドアの上方および下方にそれぞれホールＨに連通する流通口８１，８２が設けられており、それぞれの部屋Ａ，Ｂ，ＣとホールＨとの間で空気が流通するようになっている。また、遠隔部屋Ｄは、隣接する部屋Ｂとの間で空気が流通するようになっている。
このため、空調機６が設置される空調室２のない各部屋Ａ，Ｂ，Ｃ，ＤにおいてもホールＨと略同様に空調を行えるようになっている。
【００４１】
以上より、第２実施形態では、例えば図５に示すように、ホールＨに隣接しない遠隔部屋Ｄに送気ダクト７３を介して温調空気が送気され吹出口７２より吹き出されるものとした。
こうすることで、ホールＨに隣接しない遠隔部屋Ｄにおいても、隣接する部屋Ａ，Ｂ，Ｃと略同様に空調を行うことができる。
【００４２】
また、第２実施形態では、遠隔部屋Ｄは隣接する部屋Ａ，Ｂ，Ｃとの間で空気が流通する流通口８１，８２が設けられるものとした。
こうすることで、遠隔部屋Ｄと隣接する部屋Ａ，Ｂ，Ｃとの空気を流通させることができ、より一層均一な空調を行うことができる。
【００４３】
以上、本発明を本実施形態に基づいて具体的に説明してきたが、本発明は上記実施形態に限定されるものではなく、その要旨を逸脱しない範囲で変更可能である。
第１，２実施形態では、空調機６を１台設置するものとしたが、これに限らず、複数台の空調機６を設置して、必要能力を確保する構成としてもよい。
ここで、空調機６は、ヒートポンプを用いるため、大型なものよりも小型なものの方が熱変換効率が高く、１台設置する場合に比べて消費電力が削減できる場合がある。
【００４４】
また、第１，２実施形態では、空調機６の上方が垂れ壁４で他方側の空間と仕切られるものとしたが、これに限らず、垂れ壁４に加えて、垂れ壁４と対向し、かつ、空調機６の前面に対応する位置に下垂寸法の小さい垂れ壁を設けてもよい。
こうすることで、吸込口６２の上方が２つの対向する垂れ壁に囲まれることとなり、より選択的に他方側の開口部４１から空間の空気を吸い込むことができる。
【符号の説明】
【００４５】
１     建物の空調構造
２     空調室
３     天井
４     垂れ壁
５     ガイド材
６     空調機
７     送気手段
８     壁
２１   他方側開口
２２   一方側開口
３１   高天井部
３２   天井
４１   開口部
６１   給気口
６２   吸込口
７１   取込口
７２   吹出口
７３   送気ダクト
７４   送気扇
８１   流通口
８２   流通口
Ａ     部屋
Ｂ     部屋
Ｃ     部屋
Ｄ     遠隔部屋
Ｈ     ホール
Ｗ     隔壁
【図１】
0006629045.tif 000002
【図２】
0006629045.tif 000003
【図３】
0006629045.tif 000004
【図４】
0006629045.tif 000005
【図５】
0006629045.tif 000006